(57)【要約】【課題】本発明は、簡単な回路構成で、信号出力ラインに発生する様々なノイズを確実にミュートすることができるミュート回路及びそれを備えた信号出力装置を提供することを目的とするものである。【解決手段】Ｄ／Ａ変換器４０から出力されるアナログ信号の信号出力ラインに抵抗Ｒ１及びコンデンサＣ１を直列で接続して所定の電圧Ｖｃを印加する。電圧Ｖｃは、信号出力ラインに供給される基準電圧Ｖ０よりも高いレベルに設定される。信号出力ラインに基準電圧Ｖ０とは逆極性の電圧変動によるノイズが発生した場合にはコンデンサＣ１の放電によりその変動が相殺され、同極性の電圧変動によるノイズが発生した場合にはその電圧変動が吸収されるように抵抗Ｒ１の抵抗値が設定される。【選択図】図２
2006080926.tif 000002
【特許請求の範囲】
【請求項１】
映像又は音声を出力する出力装置に入力されるアナログ信号が伝送される信号出力ラインに抵抗及びコンデンサを介して接続される電圧印加回路を備え、前記電圧印加回路により印加される所定電圧により前記信号出力ラインの基準電圧とほぼ同レベルの電圧が前記信号出力ラインに印加されるように設定されていることを特徴とするミュート回路。
【請求項２】
請求項１に記載のミュート回路を備えていることを特徴とする信号出力装置。
【発明の詳細な説明】
【技術分野】
【０００１】
本発明は、ＣＲＴ、液晶表示装置等の映像出力装置又はスピーカ等の音声出力装置に用いられるミュート回路及びそれを用いた信号出力装置に関する。
【背景技術】
【０００２】
従来の信号出力装置では、例えば、電源のオン、オフ時、チャンネルの切換時に、ノイズが発生し、音声出力装置ではいわゆるポップ音と称される衝撃音が発生したり、映像出力装置では映像が乱れたりすることが問題となっている。そこで、こうしたノイズに伴う出力を避けるための技術開発が行われている。
【０００３】
例えば、特許文献１では、所定のパルス幅のミュート信号を出力するＣＰＵと、オーディオ回路のオーディオ信号出力をグランドレベルに落とすスイッチングトランジスタとを備えた光ディスク再生措置のミュート回路が記載されている。また、特許文献２では、制御信号によりパワーアンプの入力端子を接地させるミュート回路が記載されている。また、特許文献３では、音声出力ラインにコレクタが接続されてエミッタが接地されるとともにミュートパルスがベースに入力されるとその間音声出力ラインに発生するポップノイズをミュートする点が記載されている。
【特許文献１】特開平６−３２５３７０号公報
【特許文献２】特開２００３−１７９４３５号公報
【特許文献３】特開平１１−１６３６４８号公報
【発明の開示】
【発明が解決しようとする課題】
【０００４】
上述した特許文献では、信号出力ラインを接地するトランジスタを設けて信号出力ラインを接地電位レベルに低下させることで、信号出力ラインに発生するノイズがスピーカ等の出力装置に送信されないようにしている。しかしながら、信号出力ラインを接地電位に低下させるためにトランジスタ等の回路素子が必要となり、そして、ノイズの発生タイミングに合せて接地電位に低下させるためのタイミング制御にさらに回路を工夫しなければならず、複雑な回路構成とならざるを得ない。
【０００５】
また、映像出力及び音声出力のために用いられる信号がデジタル化されてくると、様々なフォーマットのデジタル信号を扱う必要があり、そうしたフォーマットの異なるデジタル信号に切り換えてＤ／Ａ変換する際にノイズが発生することが多い。したがって、ノイズが発生する様々なケースを想定してミュート処理をしなければならなくなり、非常に開発負担が増加する。
【０００６】
そこで、本発明は、簡単な回路構成で、信号出力ラインに発生する様々なノイズを確実にミュートすることができるミュート回路及びそれを備えた信号出力装置を提供することを目的とするものである。
【課題を解決するための手段】
【０００７】
本発明に係るミュート回路は、映像又は音声を出力する出力装置に入力されるアナログ信号が伝送される信号出力ラインに抵抗及びコンデンサを介して接続される電圧印加回路を備え、前記電圧印加回路により印加される所定電圧により前記信号出力ラインの基準電圧とほぼ同レベルの電圧が前記信号出力ラインに印加されるように設定されていることを特徴とする。
【０００８】
本発明に係る信号出力装置は、上記のミュート回路を備えていることを特徴とする。
【発明の効果】
【０００９】
上記のような構成を有することで、抵抗、コンデンサ及び電圧印加回路という簡単な回路構成により信号出力ラインをミュートすることが可能となる。すなわち、電圧印加回路は、信号出力装置に備わっている電圧印加回路を兼用することも可能で、抵抗及びコンデンサの特性を適宜調整すれば、信号出力ラインの基準電圧とほぼ同レベルの電圧が信号出力ラインに印加されるように簡単に設定することができる。そして、信号出力ラインに急激な電圧変動によるノイズが発生した場合には、コンデンサ及び抵抗の作用によりそうした電圧変動を抑えるような電圧が自動的に発生して、ノイズが出力装置に入力されることが防止される。このように急激な電圧変動に対応して自動的に作用するため、ノイズの発生タイミングに合わせたマイコン制御等を行う必要がなく、電圧印加回路により印加される所定電圧により信号出力ラインの基準電圧とほぼ同レベルの電圧が信号出力ラインに印加されるように設定されているため、常時印加状態としておいても問題がない。ノイズの電圧変動の大きさや周期に対しても予めコンデンサや抵抗の特性及び印加する電圧値を調整しておけば、さまざまなノイズに確実に対応してミュートすることができる。
【発明を実施するための最良の形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る信号出力装置の例として、ＤＶＤ再生装置２を併設したテレビジョン受信装置１の全体ブロック図である。テレビジョン受信装置１は、全体制御に関する情報処理を行う本体ＣＰＵ１０、外部からのテレビジョン信号を受信するチューナ１１、映像を表示するモニタ１２、モニタ１２に内蔵された左右のスピーカ１３及び１４を有する。そして、チューナ１１からの出力信号は、クロマ信号処理回路１５で処理されて映像情報は映像出力装置としてのモニタ１２に送信されて表示制御され、音声情報は本体ＣＰＵ１０の制御により音声情報処理回路１６に送信されて音声出力装置としての左右のスピーカから音声出力される。
【００１２】
一方、テレビジョン受信装置１には、ＤＶＤ再生装置２が併設されており、ＤＶＤ再生装置２は、再生制御に関する情報処理を行うＤＶＤ用ＣＰＵ２０を有している。そして、図示しない回転制御装置により回転するディスク２１からピックアップ２２により記録された情報が読み取られ、ＭＰＥＧデコーダ２３により復号化される。復号化された情報はデジタル情報であるため、ビデオエンコーダ２４によりアナログ化されてクロマ信号処理回路１５及び音声情報処理回路１６に送信され、モニタ１２で映像表示されるとともに内蔵スピーカ１３及び１４で音声出力される。
【００１３】
また、チューナ１１にＤＶＤ再生装置２側のビデオデコーダ２６を接続して、チューナ１１で受信されたアナログ信号をデジタル信号に変換した後ＭＰＥＧエンコーダ２７で圧縮した後ピックアップ２２によりディスク２１に記録処理することもできる。
【００１４】
以上のような信号出力装置では、テャンネルの切り換え時、電源のオン・オフ時などにクロマ信号処理回路１５又は音声情報処理回路１６からの信号出力ラインにノイズが乗ったり、ＤＶＤに記録したデジタル信号のファーマットの切り換え時などにビデオエンコーダ２４のＤ／Ａ変換回路においてノイズが発生するようになる。こうしたノイズは、スピーカから出力されると、いわゆるポップ音と称される聞き苦しい衝撃音が発生するようになる。また、モニタに表示される場合には映像が乱れて見苦しくなる。
【００１５】
図２は、こうしたノイズを除去するためのミュート回路３０を示している。図２では、Ｄ／Ａ変換器４０において、入力されたデジタル信号ＰＣＭがアナログ信号に変換されて音声出力装置に入力されるステレオ音声信号Ｌ及びＲが出力される。音声信号Ｌ及びＲのそれぞれの信号出力ラインには、ミュート回路３０が接続されており、音声信号Ｒの信号出力ラインには、コンデンサＣ１及び抵抗Ｒ１が直列で接続され、音声信号Ｌの信号出力ラインには、コンデンサＣ２及び抵抗Ｒ２が直列で接続されている。そして、図示せぬ定電圧回路にコンデンサＣ１及びＣ２が接続されて、所定の電圧Ｖｃが印加されている。定電圧回路としては、チューナ１１や音声情報処理回路１６に電圧を供給している電源の定電圧回路を兼用すればよい。電圧Ｖｃは、Ｄ／Ａ変換器４０から信号出力ラインに供給される基準電圧Ｖ０よりも高いレベルとなっている。そして、コンデンサ及び抵抗の特性を調整することで、印加される電圧Ｖｃは基準電圧Ｖ０とほぼ同じレベルに低下して信号出力ラインに印加されるように設定される。
【００１６】
図３は、ミュート回路３０を接続していない場合のノイズの波形（図３（ａ））及びミュート回路３０を接続した場合のノイズの波形（図３（ｂ））を示している。ノイズは、一般的に、プラス側又はマイナス側に急激な電圧変動となって発生する。この例では信号出力ラインにＤ／Ａ変換器４０から供給される基準電圧Ｖ０を基準として、Ｖ０より小さい場合をマイナス側とし、大きい場合をプラス側としている。ノイズの急激な電圧変動は、まずマイナス側に発生した後プラス側に発生している。
【００１７】
ノイズがマイナス側に発生した場合、電圧がマイナス側に大きく振れるため、コンデンサＣ１が放電されてマイナス側に振られた分を相殺するように作用して結果的に図３（ｂ）に示すようにマイナス側のノイズは除去される。プラス側にノイズが発生した場合には、電圧がプラス側に大きく振られるが、抵抗Ｒ１の信号出力ライン側の電圧レベルがプラス側のノイズのレベルに等しいかそれよりも大きい電圧レベルとなるように抵抗Ｒ１の抵抗値を設定しておけば、ノイズが吸収されるようになって結果的にプラス側のノイズも除去されるようになる。
【００１８】
このように、マイナス側及びプラス側のノイズをその発生に対応して自動的に除去することができるため、マイコン制御によりミュートパルスを発生させるといった制御が不要で、様々なノイズに対して確実にミュートすることができる。また、常時定電圧Ｖｃが印加した状態でも信号出力ラインに対して影響を及ぼさない（コンデンサＣ１の周波数特性が信号出力ラインに影響を及ぼさないためには抵抗Ｒ１を高抵抗に設定しておけばよい）ことから、電源入力と同時にミュート回路を立ち上げておくことができる。
【００１９】
一例として、信号出力ラインの基準電圧Ｖ０として２．５Ｖに設定し、定電圧Ｖｃとして１２Ｖを印加するようにし、抵抗Ｒ１を５．６ｋΩ、コンデンサＣ１の容量を０．１μＦに設定した場合、信号出力ラインに発生するほぼすべてのノイズを除去することが確認された。
【００２０】
以上説明したミュート回路は、出力装置に入力されるアナログ信号が伝送される信号出力ラインに接続することができ、映像信号や音声信号のほかにブライト信号といった制御信号に対しても有効である。
【図面の簡単な説明】
【００２１】
【図１】本発明に係る実施形態に関する全体ブロック図である。
【図２】ミュート回路に関する回路構成図である。
【図３】ノイズ波形を示す説明図である。
【符号の説明】
【００２２】
１    表示装置本体
２    ＤＶＤ／ＣＤ再生装置
10    本体ＣＰＵ
11    チューナ
12    モニタ
13    内蔵スピーカ
14    内蔵スピーカ
15    クロマ信号処理回路
16    音声情報処理回路
20    ＤＶＤ／ＣＤ用ＣＰＵ
30    ミュート回路
40    Ｄ／Ａ変換器
【図１】
2006080926.tif 000003
【図２】
2006080926.tif 000004
【図３】
2006080926.tif 000005